(57)【要約】【課題】  光モジュールと実装基板の接着面に充填された接着剤の残留厚さを接着面で均一とすることができ、実装基板に対する光モジュールの傾きの防止及び光伝送路の破断防止をはかる。【解決手段】  光伝送路２が挿入されて保持される保持穴９を有し、且つ実装基板８に接着される実装面７を有する光伝送路保持部材１であって、保持穴９の一方の開口端を含む光半導体素子搭載面１ａに電気配線４が形成され、電気配線４は光半導体素子搭載面１ａに隣接する面で且つ実装面７とは異なる面まで延長され、実装面７に規則的な凹凸形状が形成されている。【選択図】      図１
2006251212.tif 000002
【特許請求の範囲】
【請求項１】
光伝送路が挿入されて保持される保持穴を有し、且つ実装基板に接着される実装面を有する光伝送路保持部材であって、
前記保持穴の一方の開口端を含む光半導体素子搭載面に電気配線が形成され、該電気配線は前記光半導体素子搭載面に隣接する面で且つ前記実装面とは異なる面まで延長され、前記実装面に規則的な凹凸形状が形成されていることを特徴とする光伝送路保持部材。
【請求項２】
実装基板に接着される実装面を有し、この実装面と平行に形成され第１の開口端から第２の開口端まで貫通する保持穴を有し、該保持穴の第２の開口端を含む光半導体素子搭載面に電気配線を有し、該電気配線が前記光半導体素子搭載面に隣接する面で且つ前記実装面とは異なる面まで延長され、前記実装面に規則的な凹凸形状が形成された光伝送路保持部材と、
前記保持穴内に前記第１の開口端から挿入され、光入出力端が前記第２の開口端近傍に位置するように固定された光伝送路と、
前記光半導体素子搭載面に形成された電気配線に接続され、前記光伝送路の光入出力端に光結合された光半導体素子と、
を具備したことを特徴とする光モジュール。
【請求項３】
光伝送路と、この光伝送路を保持する光伝送路保持部材と、この光伝送路保持部材を実装する実装基板と、前記光伝送路と光結合される光半導体素子とを備えた光モジュールであって、
前記光伝送路保持部材は、前記実装基板に接着される実装面を有し、前記光伝送路が挿入されて保持される保持穴を有し、該保持穴の一方の開口端を含む光半導体素子搭載面に電気配線を有し、該電気配線が前記光半導体素子搭載面に隣接する面で且つ前記実装面とは異なる面まで延長され、
前記光半導体素子は、前記光半導体素子搭載面に形成された電気配線に接続され、
前記光伝送路保持部材の実装面に規則的な凹凸形状が形成され、前記実装面は接着剤により前記実装基板に接着され、前記実装面の凹凸形状の頂部が前記実装基板と接触していることを特徴とする光モジュール。
【請求項４】
前記光伝送路の光入出力端が前記光半導体素子搭載面よりも前記保持穴の外側に突出していることを特徴とする請求項２又は３記載の光モジュール。
【請求項５】
前記光伝送路と前記光半導体素子との間が、屈折率整合剤で充填されていることを特徴とする請求項２〜４の何れかに記載の光モジュール。
【請求項６】
前記保持穴の軸方向に対し、前記光半導体素子搭載面の法線方向が傾斜していることを特徴とする請求項１〜５の何れかに記載の光モジュール。
【請求項７】
請求項１に記載の光伝送路保持部材を、前記光半導体素子搭載面に光半導体素子を装着した状態で、前記実装面を下にして実装用治具基板上に載置し、前記光半導体素子に対し前記光伝送路保持部材と反対側にセンサヘッドを配置し、
前記光伝送路保持部材を前記実装用治具基板上で滑らせるのに必要な力Ａと、前記光伝送路保持部材に光伝送路を挿入するために必要な力Ｂと、前記センサヘッドが動作するために必要な力Ｃとの間にＣ＞Ｂ＞Ａの関係を持たせ、
前記光伝送路保持部材の保持穴に前記光半導体素子と反対側から光伝送路を挿入すると共に、この挿入に伴う前記光伝送路保持部材の移動により前記光半導体素子が前記センサに接触し、その後に前記光伝送路が前記光半導体素子に接触したことを前記センサヘッドで検出し、該検出によって前記光伝送路の挿入を止めることを特徴とする光モジュールの製造方法。
【発明の詳細な説明】
【技術分野】
【０００１】
本発明は、光通信や光伝送技術などに用いられる光伝送路保持部材及びこれを用いた光モジュールに関する。さらに、光モジュールを製造するための光モジュールの製造方法に関する。
【背景技術】
【０００２】
近年、発光素子や受光素子などの光半導体素子と光ファイバとを直近の位置に対向させてレンズを用いないで光結合を得る、いわゆる直接光結合（バットジョイント）と呼ばれる結合方式によって、実装コストの低減をはかる技術が研究開発されている。
【０００３】
直接光結合を用いる場合、光半導体素子からの出射光、或いは光ファイバからの出射光は、特別にレンズ効果を持たせない限り導波機構を持たないほぼ等屈折率の媒質中（例えば空気中や屈折率整合材中）を透過するため、ビームが拡がっていく。そのため、光ファイバの導波部（コア）や受光素子の活性領域（受光領域）以外の部分に到達する光が増加し、光結合効率が低下して耐雑音性が低下すると共に、迷光が増えることで別の雑音（例えばクロストークノイズ）を増加させ、信号伝送に悪影響を及ぼす可能性がある。
【０００４】
従って、なるべく光半導体素子と光ファイバとを直近に配置して余分な部分に光が到達しないようにすることが重要になってくる。例えば、開口率（ＮＡ）＝０．２１、コア直径５０μｍのマルチモード光ファイバからの出射光は、空気中で広がり角約１２度を持つ。このため、光ファイバとの距離は数十μｍ程度にまで近づける必要がある。さらに、光ファイバの曲げ半径は標準で３０ｍｍ程度必要であり、直角には曲げられないことから、光ファイバの軸方向を光モジュールの搭載面と平行な面内に置くことで、実装基板に対して垂直な方向への光ファイバの突出を無くし、全体の装置の厚さを低減する必要がある。
【０００５】
これらの各種の機構を実現するために、光ファイバを挿入可能な保持穴を有する光伝送路保持部材を用い、光ファイバを保持穴に保持すると共に、保持穴の開口を含む面に光半導体素子を搭載した光モジュールが提案されている（例えば、特許文献１参照）。
【特許文献１】特開２０００−３４７０７２号公報
【発明の開示】
【発明が解決しようとする課題】
【０００６】
しかしながら、特許文献１の例では次のような問題があった。即ち、直接光結合を用いた場合、光半導体素子と光伝送路入出力端面とをごく直近に配置する方が好ましいが、光モジュールを実装基板上に搭載する際に、光モジュールと実装基板間の接着面に接着剤が充填され、この接着剤は表面張力によりある一定の残留厚さを持ち、この残留厚さを接着面内で一定にすることが困難である。このため、実装基板の実装面に対して光モジュールが傾いてしまうという問題がある。そして、実装基板に対して光ファイバの角度がまちまちになったり、外部で光ファイバを保持した場合に光モジュールの付け根に大きな応力がかかり、光ファイバが破断しやすくなるなどといった問題が生じる。
【０００７】
また、光伝送路がピグテール構造であるため、後方から光伝送路を引き抜く方向に力が加わる可能性があり、その際に実装基板と光モジュールの接着力を保持するのは接着剤となる。接着力を高めるためには、接着剤を厚くする必要があるが、厚くすることで、前述の傾きが大きくなり易いという問題がある。
【０００８】
本発明は、上記事情を考慮して成されたもので、その目的とするところは、光モジュールと実装基板の接着面に充填された接着剤の残留厚さを接着面で均一とすることができ、実装基板に対する光モジュールの傾きの防止及び光伝送路の破断防止に寄与し得る光伝送路保持部材及び光モジュールを提供することにある。
【０００９】
また、本発明の他の目的は、上記の光モジュールを低コストで製造可能な光モジュールの製造方法を提供することにある。
【課題を解決するための手段】
【００１０】
上記課題を解決するために本発明は、次のような構成を採用している。
【００１１】
即ち、本発明の一態様は、光伝送路が挿入されて保持される保持穴を有し、且つ実装基板に接着される実装面を有する光伝送路保持部材であって、前記保持穴の一方の開口端を含む光半導体素子搭載面に電気配線が形成され、該電気配線は前記光半導体素子搭載面に隣接する面で且つ前記実装面とは異なる面まで延長され、前記実装面に規則的な凹凸形状が形成されていることを特徴とする。
【００１２】
また、本発明の別の一態様に係る光モジュールは、実装基板に接着される実装面を有し、この実装面と平行に形成され第１の開口端から第２の開口端まで貫通する保持穴を有し、該保持穴の第２の開口端を含む光半導体素子搭載面に電気配線を有し、該電気配線が前記光半導体素子搭載面に隣接する面で且つ前記実装面とは異なる面まで延長され、前記実装面に規則的な凹凸形状が形成された光伝送路保持部材と、前記保持穴内に前記第１の開口端から挿入され、光入出力端が前記第２の開口端近傍に位置するように固定された光伝送路と、前記光半導体素子搭載面に形成された電気配線に接続され、前記光伝送路の光入出力端に光結合された光半導体素子と、を具備したことを特徴とする。
【００１３】
また、本発明の別の一態様は、光伝送路と、この光伝送路を保持する光伝送路保持部材と、この光伝送路保持部材を実装する実装基板と、前記光伝送路と光結合される光半導体素子とを備えた光モジュールであって、前記光伝送路保持部材は、前記実装基板に接着される実装面を有し、前記光伝送路が挿入されて保持される保持穴を有し、該保持穴の一方の開口端を含む光半導体素子搭載面に電気配線を有し、該電気配線が前記光半導体素子搭載面に隣接する面で且つ前記実装面とは異なる面まで延長され、前記光半導体素子は、前記光半導体素子搭載面に形成された電気配線に接続され、前記光伝送路保持部材の実装面に規則的な凹凸形状が形成され、前記実装面は接着剤により前記実装基板に接着され、前記実装面の凹凸形状の頂部が前記実装基板と接触していることを特徴とする。
【発明の効果】
【００１４】
本発明によれば、光伝送路保持部材の実装面に凹凸形状を設けることにより、光伝送路保持部材と実装基板の接着面に充填された接着剤の残留厚さを接着面で均一とし、且つある程度の接着剤厚さを確保することができる。従って、実装基板の実装面に対する光伝送路保持部材の傾きの防止及び光伝送路の破断防止に寄与することができる。これにより、低コストで製造可能な光伝送路保持部材又は光モジュールを実現することが可能となる。
【発明を実施するための最良の形態】
【００１５】
以下、本発明の詳細を図示の実施形態によって説明する。
【００１６】
（第１の実施形態）
図１は、本発明の第１の実施形態に係わる光モジュールの概略構成を示す断面図である。
【００１７】
図中の１は光伝送路保持部材であり、光ファイバや光導波路といった光伝送路２を保持するための保持穴９を有する部材である。光伝送路保持部材１は、エポキシ樹脂，ポリフェニレンサルファイド（ＰＰＳ）樹脂，ポリブチレンテレフタレート（ＰＢＴ）樹脂，フェノール樹脂，ポリエステル樹脂，ポリイミド樹脂，フッ素樹脂等からなっている。特に、５〜３０μｍ程度のガラスフィラーを８０％程度混入したエポキシ樹脂により構成すれば、金型による樹脂成型で簡単に形成できるので好適である。
【００１８】
光伝送路保持部材１の保持穴９は、第１の開口端から第２の開口端まで貫通して設けられた貫通穴である。保持穴９の第２の開口端を含む光半導体素子搭載面１ａには電気配線４が形成されており、この電気配線４は面１ａに隣接する別の面まで延長されている。電気配線４には、バンプ５により光半導体素子３が電気接続されている。光伝送路保持部材１の、光伝送路２の光軸とほぼ平行な面の一つ７が実装基板８へ接着剤６により搭載するための実装面である。実装面７と光伝送路２の光軸方向を平行な面内とすることにより、光伝送路２の引出しによる光モジュール全体の厚さ方向の寸法増大を抑制することができる。
【００１９】
実装面７には規則的な凹凸が形成されている。光伝送路保持部材１は、接着剤６により実装面７が実装基板８に対向するように接着搭載される。ここで、実装面７には凹凸が設けられているため、接着剤塗布後に光伝送路保持部材１が押圧されることにより、余分な接着剤は押し出され、凹凸の先端部（頂部）が実装基板８に接触するまで押込まれる。
【００２０】
一方、実装面７が平坦な場合、押し込まれて間隙が少なくなってくると、接着剤の表面張力が大きくなり、ある程度の厚さで押圧力と表面張力が釣り合う。しかし、押圧力の面内不均一や、実装面７の面状態によってバランスは崩れるため、図２に示したように傾きを生じてしまう。
【００２１】
本実施形態では、実装面７に凹凸が設けられているため、凹凸の先端部の接触面積を極めて小さくすることが可能で、表面張力を小さくでき、ほぼ凹凸の先端部が実装基板８に接触するまで押し込むことが可能である。従って、実装時の傾きは、接着剤の厚さではなく実装面７の凹凸の先端部を結ぶ面で決まるため、制御可能である。この面を光伝送路２の光軸と平行になるように形成することで、ほぼ実装基板８の実装面７と光伝送路２の光軸を平行とすることができる。さらに、凹凸を設けることにより、傾きを殆どない状態にしたまま充分な厚さの接着材層を部分的に形成することができるため、横方向の引っ張り力に対して強固な接着が可能となる。
【００２２】
図３に、本実施形態における電気配線４の配置例を示す。配線４は、光伝送路２としての光ファイバの端面が露出する面から、実装面７を除く３つの側面に引き出されている例を示しているが、引き出す面が１面であっても良いし、２面であっても良い。さらに、側面に引き出されていなくても良い。
【００２３】
ここで、光伝送路保持部材１の断面形状は、必ずしも図４（ａ）に示すように矩形に限らず、図４（ｂ）に示すような六角形であっても良い。さらに、図４（ｃ）に示すように、側面が曲面加工されたものであっても良い。
【００２４】
光伝送路保持部材１の実装面７は、波型の凹凸を含む形状をしており、１次元的に規則的な構造となっている。実装面７の形状は必ずしも規則的である必要は無いが、規則的なパターンとすることにより、金型の製造の誤差を吸収することができ、凹凸の深さ方向の制御が容易となり、光モジュールとしたときの実装高さの精度が高くしやすいという効果がある。
【００２５】
また、実装面７の形状は２次元的に規則的な形状とすることもできる。その場合の例を図５に示す。この場合、連続した紡錘形状が配置された構造となっている。１次元的に規則的な場合では、実装基板との接触が線状であることに比較して、このような２次元的に規則的な構造とすることで、多数の点での接触となる。このため、より接着剤の影響を受けにくくなり、平坦度を保つことが可能となる。
【００２６】
また、光伝送路２の光入出力端面が露出する面１ａは、図６に示すように光伝送路２の軸方向と傾斜していることが望ましい。このような構成にすれば、研磨を用いないで応力破断による簡易な端面出しを行った光伝送路を用いた場合にも、光伝送路２の光入出力端面での反射光の影響を抑制することが可能となる。
【００２７】
このように本実施形態によれば、光伝送路保持部材１の実装面７に凹凸形状を設けることにより、光伝送路保持部材１と実装基板８の接着面に充填された接着剤６の残留厚さを接着面で均一とし、しかもある程度の接着剤厚さを確保することができる。従って、実装面７に対する光伝送路保持部材１の傾きの防止及び光伝送路２の破断防止に寄与することができ、製造コストの低減をはかることができる。
【００２８】
（第２の実施形態）
図７は、本発明の第２の実施形態に係わる光モジュールの概略構成を示す断面図である。なお、図１と同一部分には同一符号を付して、その詳しい説明は省略する。
【００２９】
本実施形態が先に説明した第１の実施形態と異なる点は、光伝送路２の光入出力端が素子搭載面１ａより外側に突出していることにある。これにより、光半導体素子３と光伝送路２の光入出力端とをより近接配置することが可能である。従って、より高い光結合効率を得られると共に、実装のトレランスを大きくすることが可能で、素子搭載に必要な工程時間を短縮することが可能となる。
【００３０】
本実施形態の構造では、光伝送路２を光半導体素子３の活性領域と非常に近接配置するため、実装時の衝突による光半導体素子３の破壊を防止する工夫が必要である。特に、光半導体素子３の実装性を優先して、光半導体素子３を光伝送路保持部材１に先に搭載してから光伝送路２を搭載する場合には尚更である。この場合にも、実装面７に凹凸を形成することが有効である。
【００３１】
この有効性について、図８を用いて以下に説明する。図中１０は、光伝送路保持部材１の実装用治具基板である。１１は、圧力センサ又は位置センサのヘッドである。
【００３２】
図８（ａ）は、光伝送路２が光伝送路保持部材１の保持穴９に徐々に挿入されていく様子を示している。このとき、挿入に必要な力をＢ、その際に光伝送路保持部材１と治具基板１０との間に働く摩擦力をＡとすれば、Ｂ≦Ａの場合、光伝送路２が保持穴９を滑って挿入されていくため、光伝送路２が光半導体素子３に直接衝突する。このため、光半導体素子３の破壊、光半導体素子３と配線４との接続剥がれを招いてしまう。
【００３３】
そこで、Ｂ＞Ａの関係に設定しておくと、光伝送路２を挿入しようとすると光伝送路保持部材１が押されて図で右方向に移動し、図８（ｂ）に示したように、センサヘッド１１に光半導体素子３の裏面が突き当たるところまで滑っていく。
【００３４】
センサヘッド１１は一定の圧力Ｃ以上の力（感度）を受けると、動作するように設定しておきＣ＞Ｂとしておくことで、センサヘッド１１に当たった後は、光伝送路保持部材１の保持穴９内に光伝送路２を挿入していくことができる。なお、光伝送路２を挿入する際の実際の力はＣよりも僅かに大きい力である。
【００３５】
その後、図８（ｃ）で示したように、光伝送路２が光半導体素子３に当たるまで挿入が続き、光半導体素子３に当たった瞬間をセンサヘッド１１で検出し、この検出と同時に挿入を停止する。これにより、光半導体素子３と光伝送路２の距離をほぼ０にまで短くすることができる。光伝送路２が光半導体素子３に接触するとき、光半導体素子３の裏面側にはセンサヘッド１１が接触しているので、光半導体素子３と配線４との剥がれが生じることはない。さらに、接触と同時に挿入を停止することにより、光半導体素子３の破壊を未然に防止することができる。
【００３６】
つまり、Ｃ＞Ｂ＞Ａの関係を成立させることで、光半導体素子３と光伝送路２との距離を近接させることが可能となる。このときの、センサヘッド１１の感度をなるべく高く、即ちＣをなるべく小さく調整しないと、光半導体素子３を破壊しかねない。このため、Ｂ及びＡはさらに小さいことが望ましい。Ｂは、保持穴９の内側の平滑度などで決まるが、Ａは治具基板１０と光伝送路保持部材１の実装面７との摩擦により決まる。そこで、この実装面７に凹凸を設けて、治具基板１０との接触面積を小さくしてやることにより、より一層Ａを小さくすることができる。即ち、実装面７に凹凸を形成することは、光モジュールの傾き防止と共に製造歩留まり向上にも有効である。
【００３７】
この際、治具基板１０に凹凸を設け、その実装面を平滑面とすることは得策ではない。何故ならば、治具基板１０は繰返し使用されるものであり、使用状況や使用回数、使用履歴などによって凹凸の具合が変動し、Ａの値が大きく変動することが考えられるためである。これに対し、光伝送路保持部材１の実装面７に凹凸を設けてやれば、毎回新鮮な凹凸面との摩擦となるため、Ａの値が安定しやすいのである。
【００３８】
また、Ｂの値を積極的に低減するために、予め樹脂を保持穴９内に注入しておき潤滑油とすることもできる。さらに、この樹脂を接着剤として光伝送路２の固定に利用することも可能である。さらに、この接着剤の屈折率を光伝送路２の屈折率に近づけることにより、光伝送路２の光入出力端と光半導体素子３との隙間に挿入することで、光伝送路２の光入出力端での反射戻り光対策とすることも可能である。図９にこの例を示す。図中１６が該接着剤である。
【００３９】
（変形例）
なお、本発明は上述した各実施形態に限定されるものではない。実施形態では、光伝送路，光伝送路保持部材，光半導体素子，実装基板を一体化した光モジュールとしたが、必ずしもこれに限らず、実装基板に保持する前の光モジュールとして製品化しても良い。さらに、光伝送路保持部材の単体として製品化することもできる。また、光伝送路は必ずしも光ファイバに限るものではなく、光導波路であっても良い。さらに、光伝送路保持部材の材料は、仕様に応じて適宜変更可能である。
【００４０】
その他、本発明の要旨を逸脱しない範囲で、種々変形して実施することができる。
【図面の簡単な説明】
【００４１】
【図１】第１の実施形態に係わる光モジュールの概略構成を示す断面図。
【図２】第１の実施形態に係わる光モジュールの効果を説明するためのもので、光伝送路保持部材の実装面を平坦にした光モジュールの概略構成を示す断面図。
【図３】第１の実施形態における電気配線の配置例を示す斜視図。
【図４】第１の実施形態における光伝送路保持部材の断面形状例を示す断面図。
【図５】第１の実施形態における実装面の凹凸形状の例を示す斜視図。
【図６】第１の実施形態における光伝送路保持部材の入出力端面側の面の形状を示す斜視図。
【図７】第２の実施形態に係わる光モジュールの概略構成を示す斜視図。
【図８】第２の実施形態に係わる光モジュールの実装方法を説明するための工程断面図。
【図９】第２の実施形態に係わる光モジュールの変形例の概略構成を示す断面図。
【符号の説明】
【００４２】
１…光伝送路保持部材
２…光伝送路
３…光半導体素子
４…電気配線
５…バンプ
６…接着剤
７…実装面
８…実装基板
９…保持穴（貫通穴）
１０…実装用治具基板
１１…センサヘッド
１６…接着剤
【図１】
2006251212.tif 000003
【図２】
2006251212.tif 000004
【図３】
2006251212.tif 000005
【図４】
2006251212.tif 000006
【図５】
2006251212.tif 000007
【図６】
2006251212.tif 000008
【図７】
2006251212.tif 000009
【図８】
2006251212.tif 000010
【図９】
2006251212.tif 000011